(57)【要約】【課題】左右のカップにより集中且つアップ効果が得られ、カップが容易に変形することがない調整型ブラジャー構造を提供する。【解決手段】左右のカップと背中係合帯及び肩帶から構成され、左右のカップは、それぞれの外側に、更に左右側強化締めつけシートが設けられ、左右側強化締めつけシートは、裏側が背中係合帯と連結され、上端が肩帶と連結され、左右側強化締めつけシート同士は調整部位によって連結され、左右側強化締めつけシートの緊張度が調整され、また、左右側強化締めつけシートは、調整部位と上端の間において、それぞれ左右のカップの半分程度の外側を覆う下円弧側辺が設けられ、左右側強化締めつけシートにより補助固定作用が提供される。【選択図】図１
0003118029.tif 000002
【実用新案登録請求の範囲】
【請求項１】
主として、左右のカップと背中係合帯及び肩帶から構成される調整型ブラジャーであって、
当該左右のカップは、それぞれの外側に、更に左右側強化締めつけシートが設けられ、当該左右側強化締めつけシートは、裏側が、背中係合帯と連結され、上端が、肩帶と連結され、左右側強化締めつけシート同士は、調整部位によって連結され、これにより、当該左右側強化締めつけシートの緊張度が調整され、また、当該左右側強化締めつけシートは、調整部位と上端の間において、それぞれ、左右のカップの半分程度の外側を覆う下円弧側辺が設けられ、
これにより、当該左右側強化締めつけシートにより補助固定作用が提供されるため、当該左右のカップの集中且つアップ効果が得られ、また、カップが容易に変形することがない
ことを特徴とする調整型ブラジャー構造。
【請求項２】
当該左右側強化締めつけシート同士の間に、当該左側強化締めつけシートの端部にフックが設けられ、当該右側強化締めつけシートの端部に一定な間隔を離間して複数の係合リングが配列され、フックを異なる列にある係合リングに係合することにより、左右側強化締めつけシートの緊張度が調整される調整部位が、設けられることを特徴とする請求項１に記載の調整型ブラジャー構造。
【請求項３】
当該左右側強化締めつけシートの間に、直連する一体形成の構造であることを特徴とする請求項１に記載の調整型ブラジャー構造。
【請求項４】
当該調整型ブラジャーの左右側肩帶は、後端が裏へ向かう逆Ｕ形になるように背中係合帯に組み立てられる構造であることを特徴とする請求項１に記載の調整型ブラジャー構造。
【請求項５】
当該調整型ブラジャーの左右側肩帶は、後端が互いに交差してから背中係合帯に組み立てられる構造であることを特徴とする請求項１に記載の調整型ブラジャー構造。
【請求項６】
当該調整型ブラジャーの肩帶は、両端がそれぞれ左右側強化締めつけシートの上端に組み立てられ、中段が上へ突出する円弧状の首掛け部である構造ことを特徴とする請求項１に記載の調整型ブラジャー構造。
【考案の詳細な説明】
【技術分野】
【０００１】
本考案は、調整型ブラジャーに関し、特に、左右のカップのそれぞれの外側に、更に左右側強化締めつけシートが設けられる新規な構造であるものに関する。
【背景技術】
【０００２】
生活品質の向上に従って、現代女性消費者は、体型の保養や包装を重要視し、その中、女性の胸部は、最も女性美を表現である体の部位であり、そのため、大部の女性消費者は、当該部位の外観や曲線を大切にし、しかしながら、東方女性にとって、胸部の曲線が自然に豊富的且つ完美的な曲線になる割合が、やや低いため、多数の女性消費者にとって、ブラジャーの構造設計により胸部のアップすることが必要であり、そのため、女性のブラジャー市場に、様々な胸型を調整できると称するブラジャー製品が登場し、しかし、既存の胸部曲線を調整できる調整型ブラジャーは、一般、カップの内側に裏地を充填することだけにより、胸型をアップし、このような従来の構造により、当該裏地の充填で確実に胸型を調整する目的が達成されるが、胸部の反力により、カップに対して外へ向かう圧力が印加され、即ち、このようなブラジャーは、一般のブラジャーより容易に両側へ拡大変形になる欠点があり、当該現象が起こると、元の胸型をアップする機能が失ってしまう。
【考案の開示】
【考案が解決しようとする課題】
【０００３】
本考案の目的は、調整型ブラジャーを提供する。
【課題を解決するための手段】
【０００４】
増設された左右側強化締めつけシートの補助固定作用により、左右のカップの集中且つアップの効果が向上され、また、カップが容易に変形することがない。
【考案を実施するための最良の形態】
【０００５】
図1、2は、本考案に係わる調整型ブラジャー構造のより良い実施例であり、当該調整型ブラジャーは、主として、左右のカップ10と背中係合帯20及び肩帶30から構成され、
当該左右のカップ10は、それぞれの外側に、更に左右側強化締めつけシート41、42が設けられ、当該左右側強化締めつけシートは、裏側が、背中係合帯20と連結され、上端が、それぞれ、左右側肩帶30と連結され、左右側強化締めつけシート41、42同士は、調整部位A(後述する実施例を参照する)によって連結され、これにより、当該左右側強化締めつけシート41、42の緊張度が調整され、また、当該左右側強化締めつけシートは、調整部位Aと上端の間において、それぞれ、左右のカップ10の半分程度の外側を覆う下円弧側辺43が設けられ、
上記の構造により、当該左右側強化締めつけシート41、42により補助固定作用が提供されるため、当該左右のカップ10の集中且つアップ効果が得られ、また、カップが容易に変形することがなく、ブラジャーの寿命が向上され、実用性と進歩性を有する提案である。
【０００６】
当該左右側強化締めつけシート41、42同士の間に設けられる調整部位は、当該左側強化締めつけシート41の端部にフック410が設けられ、当該右側強化締めつけシート42の端部に一定な間隔を離間して複数の係合リング420が配列され、フック410を異なる列にある係合リング420に係合することにより、左右側強化締めつけシート41、42の緊張度が調整される。
【０００７】
当該左右側強化締めつけシート41、42の間に、前述の調整部位を有しない直連する一体形成の構造でもよい(図７のように)。
【０００８】
当該調整型ブラジャーの左右側肩帶30は、後端が裏へ向かう逆Ｕ形になるように背中係合帯20に組み立てられる構造でもいい(図1、2のように)。
【０００９】
当該調整型ブラジャーの左右側肩帶30は、後端が互いに交差してから背中係合帯20に組み立てられる構造でもよい(図５のように)。
【００１０】
当該調整型ブラジャーの肩帶30は、両端がそれぞれ左右側強化締めつけシート41、42の上端に組み立てられ、中段が上へ突出する円弧状の首掛け部31である構造でもよい(図６のように)。
【００１１】
本考案の利点は、次のようである。
【００１２】
1、該左右のカップ10のそれぞれの外側に、更に左右側強化締めつけシート41、42が設けられ、新規な構造であるため、新鋭性を持つ考案である。
【００１３】
2、独自な改良構造設計で、当該左右側強化締めつけシート41、42によって補助固定作用が得られるため、左右のカップが、更に中央へ集中され、胸型の集中且つアップの効果が得られ、そして、カップの拡大や変形を防止できるため、ブラジャーの寿命が向上され、進歩性を持つ考案である。
【図面の簡単な説明】
【００１４】
【図１】本考案に係わるより良い実施例の調整部位が係合していない状態の立体図
【図２】本考案に係わるより良い実施例の調整部位が係合している状態の立体図
【図３】本考案に係わる調整部位の弛め係合状態の正面図
【図４】本考案に係わる調整部位のやや締まり係合状態の正面図
【図５】本考案に係わる肩帶の他の実施例図
【図６】本考案に係わる肩帶の更に他の実施例図
【図７】本考案に係わる強化締めつけシートの構造の他の実施例図
【符号の説明】
【００１５】
10          カップ
20          背中係合帯
30          肩帶
31          首掛け部
41          左側強化締めつけシート
410         フック
42          右側強化締めつけシート
420         係合リング
43          下円弧側辺
A           調整部位
【図１】
0003118029.tif 000003
【図２】
0003118029.tif 000004
【図３】
0003118029.tif 000005
【図４】
0003118029.tif 000006
【図５】
0003118029.tif 000007
【図６】
0003118029.tif 000008
【図７】
0003118029.tif 000009